(57)【特許請求の範囲】
【請求項１】
電池ケースと、
当該電池ケース内に収容され、正極シート、負極シート及びセパレータを少なくとも有する電極体と、
を備えた二次電池において、
前記正極シートと前記負極シートの少なくとも一方の一端部に形成された集電タブを複数集めてなる集合部を備え、
前記集合部は、前記正極シートの端部に形成された正極側集合部と、前記負極シートの端部に形成された負極側集合部の少なくともいずれか一方を有し、
前記正極側集合部の内側面により区画形成された収容空間内と、前記負極側集合部の内側面により区画形成された収容空間内の少なくともいずれか一方に過電流遮断装置（ＣＩＤ）の少なくとも一部が収容されていることを特徴とする二次電池。
【請求項２】
前記電池ケースには端子が設けられており、
前記収容空間内には、前記過電流遮断装置を介して前記集合部と前記端子とを接続する電極が収容されていることを特徴とする請求項１に記載の二次電池。
【請求項３】
前記電極は、前記過電流遮断装置を介して対向する対向部を備え、
前記対向部は、前記集合部と溶接されていることを特徴とする請求項２に記載の二次電池。
【請求項４】
請求項１〜３のうちいずれか一項に記載の二次電池が搭載されたことを特徴とする車両。
【発明の詳細な説明】
【技術分野】
【０００１】
本発明は二次電池及び車両に関する。
【背景技術】
【０００２】
特許文献１には、正極シートと負極シートとをセパレータを介して重ねて捲回し、扁平状に圧縮した電極体を備えた二次電池が記載されている。電極体は、横倒しにした状態で電池ケース内に収容されており、この電極体の捲回軸方向の両側には、正極電極端子部材と負極電極端子部材とが設けられている。
【先行技術文献】
【特許文献】
【０００３】
【特許文献１】特開２０１１−２３１４２号公報
【発明の概要】
【発明が解決しようとする課題】
【０００４】
特許文献１においては、電極体の捲回軸方向の両側と、電極体及び電池ケースの蓋間に、各電極端子部材を配置するためのスペースが確保されており、充放電に寄与しないスペースが形成されてしまっている。また、各電極端子部材と各電極シートとを接続するために、正極シート及び負極シートに集電タブを設ける場合、その集電タブの配置スペースの分だけ、充放電に寄与しないスペースが形成される。さらに、電池ケース内に過電流遮断装置を設ける場合、上記過電流遮断装置を設置するためのスペースを確保する分、充放電に寄与しないスペースが大きくなるおそれがある。このような充放電に寄与しないスペースは、二次電池のエネルギ密度の低下を招く。
【０００５】
本発明は、上記事情を鑑みてなされたものであって、電池ケース内に集電タブを配置するためのスペースを確保しつつ、エネルギ密度の向上を図ることができる二次電池を提供することを目的とする。また、本発明は、その二次電池が搭載された車両を提供することを目的とする。
【課題を解決するための手段】
【０００６】
上記目的を達成するため、請求項１に係る発明は、電池ケースと、当該電池ケース内に収容され、正極シート、負極シート及びセパレータを少なくとも有する電極体と、を備えた二次電池において、前記正極シートと前記負極シートの少なくとも一方の一端部に形成された集電タブを複数集めてなる集合部を備え、前記集合部は、前記正極シートの端部に形成された正極側集合部と、前記負極シートの端部に形成された負極側集合部の少なくともいずれか一方を有し、前記正極側集合部の内側面により区画形成された収容空間内と、前記負極側集合部の内側面により区画形成された収容空間内の少なくともいずれか一方に過電流遮断装置（ＣＩＤ）の少なくとも一部が収容されていることを特徴とする。
【０００７】
かかる発明によれば、集合部の内側面により区画形成された収容空間内に過電流遮断装置の少なくとも一部が収容される。これにより、電池ケース内にて、集合部を配置するためのスペースとは別に確保する必要がある、過電流遮断装置を配置するためのスペースが小さくなる。よって、電池ケース内で過電流遮断装置を配置するのに必要としていたスペースを、電極体を配置するためのスペースとして利用することができる。したがって、電池ケース内において電極体が占める割合を大きくすることができ、エネルギ密度の向上を図ることができる。
【０００８】
なお、「前記正極シートと前記負極シートの少なくとも一方の一端部に形成された集電タブを複数集めてなる集合部」には、例えば１の正極シートの一端部に複数の正極集電タブが形成されている構成においてその各正極集電タブを集めてなる捲回型のものや、正極集電タブが形成された正極シートを複数設け、その各正極集電タブを集めてなる積層型のものが含まれる。
【０００９】
また、前記電池ケースには端子が設けられており、前記収容空間内には、前記過電流遮断装置を介して前記集合部と前記端子とを接続する電極が収容されていてもよい。これによれば、収容空間内に、電極及び過電流遮断装置が収容されている。これにより、電池ケース内にて、電極を配置するためのスペースを、集合部を配置するためのスペースと別に確保する必要がない。よって、電池ケース内で、電極を配置するために必要としていたスペースを、電極体を配置するためのスペースとして利用することができ、エネルギ密度の更なる向上を図ることができる。
【００１０】
また、前記電極は、前記過電流遮断装置を介して対向する対向部を備え、前記対向部は、前記集合部と溶接されていてもよい。これによれば、過電流遮断装置と電極との干渉を回避しつつ、対向部と集合部との溶接を通じて両者の電気的な接続を好適に行うことができる。
【００１１】
また、上述した二次電池は車両に搭載されているとよい。これにより、二次電池の電力を走行モータの駆動に用いる場合には、車両の走行距離の向上を図ることができ、充電回数の削減を図ることができる。
【発明の効果】
【００１２】
本発明によれば、電池ケース内に集電タブを配置するためのスペースを確保しつつ、エネルギ密度の向上を図ることができる。
【図面の簡単な説明】
【００１３】
【図１】本発明に係る二次電池の内部構成を示す断面図である。
【図２】電極体を構成する各電極シート及びセパレータを示す斜視図である。
【図３】二次電池の分解斜視図である。
【図４】各電極が取り付けられた電極体及び容器の平面図である。
【図５】（ａ）は蓋等を合わせて示す図４のＡ−Ａ線断面図であり、（ｂ）は図４のＢ−Ｂ線断面図である。
【発明を実施するための形態】
【００１４】
以下、本発明に係る二次電池の一実施形態について図１〜図５に基づいて説明する。なお、本二次電池は、車両に搭載され、走行モータを駆動するために用いられる。また、図１において、電極体１４については断面図ではなく正面図として図示する。
【００１５】
図１に示すように、二次電池１０の外形を構成する電池ケース１１は、上方に開口した容器１２と、当該容器１２の開口を塞ぐ蓋１３とからなる。電池ケース１１（容器１２）内には、充放電要素としての電極体１４が収容されている。
【００１６】
図２に示すように、電極体１４は、表面に活物質層が形成され、矩形状をなした電極シートとしての正極シート２１及び負極シート２２と、各電極シート２１，２２の間に配置されるセパレータ２３とから構成されている。電極体１４は、各電極シート２１，２２がセパレータ２３を介して積層された状態（重なり合った状態）で長手方向に捲回し加圧されることによって形成される。
【００１７】
図３に示すように、電極体１４は、捲回軸方向から見てトラック形状をなした扁平形状となっている。また、図１に示すように、電極体１４は、電池ケース１１に収容可能な大きさに形成されている。具体的には、電極体１４は、容器１２の側壁部と干渉しない範囲で大きく形成されているとともに、容器１２に収容された場合に、蓋１３との間に所定の隙間が形成されるよう形成されている。電極体１４は、捲回軸方向と容器１２の深さ方向とが一致するように容器１２内に収容されている。
【００１８】
蓋１３は、例えば銅やアルミ等といった導電性材料で構成されている。図１及び図３に示すように、蓋１３には、端子として正極端子３１及び負極端子３２が設けられている。正極端子３１は、蓋１３の一部を構成する正極側ベース部３１ａを備え、負極端子３２は、蓋１３の一部を構成する負極側ベース部３２ａを備えている。図１に示すように、各ベース部３１ａ，３２ａには、電池ケース１１の外側に突出した突起部３１ｂ，３２ｂが設けられている。
【００１９】
なお、図３に示すように、各端子３１，３２と蓋１３とが短絡しないように、正極側ベース部３１ａの周縁部には正極側絶縁部３３が設けられており、負極側ベース部３２ａの周縁部には負極側絶縁部３４が設けられている。正極側絶縁部３３は、正極側ベース部３１ａを囲むように形成されており、負極側絶縁部３４は、負極側ベース部３２ａを囲むように形成されている。この場合、各ベース部３１ａ，３２ａは、各絶縁部３３，３４によって区画形成された蓋１３の一部と言える。
【００２０】
図２に示すように、各電極シート２１，２２における長手方向に延びる一端部には、それぞれ各電極シート２１，２２の短手方向に延出し、短冊状をなした複数の集電タブ４１，４２が形成されている。詳細には、正極シート２１の長手方向に延びる一端部には、複数の正極集電タブ４１が正極シート２１の長手方向に所定の間隔を隔てて形成されており、負極シート２２の長手方向に延びる一端部には、複数の負極集電タブ４２が負極シート２２の長手方向に所定の間隔を隔てて形成されている。
【００２１】
ここで、各電極シート２１，２２を捲回させた場合に、複数の正極集電タブ４１が、トラック形状の電極体１４における一方の湾曲側に集合し、複数の負極集電タブ４２が電極体１４の他方の湾曲側に集合するように構成されている。具体的には、図２に示すように、各電極シート２１，２２を重ね合わせた状態において、正極集電タブ４１と負極集電タブ４２とが各電極シート２１，２２の長手方向に沿って交互に配置されるように、各集電タブ４１，４２の相対位置関係が設定されている。これにより、各電極シート２１，２２を捲回して電極体１４を形成した場合に、電極体１４の捲回軸方向の（上）端部における一方の湾曲側には正極集電タブ４１が集合し、正極集電タブ４１と対向する他方の湾曲側には負極集電タブ４２が集合する。そして、図３及び図４に示すように、各集電タブ４１，４２の集合体を、その内側に空間が形成されるよう積層方向の内側から外側に向けて加圧（圧接）することにより、複数の正極集電タブ４１からなる正極側集合部５１、及び負極集電タブ４２からなる負極側集合部５２が形成される。
【００２２】
図３に示すように、各集合部５１，５２は、電極体１４において各端子３１，３２が設けられている側の端部（上端部）にまとめて配置されており、電極体１４から上方に突出している一方、側方には突出していない。各集合部５１，５２は、電極体１４のトラックの長手方向の両側に対向配置されており、その方向に対称に形成されている。
【００２３】
図３及び図４に示すように、正極側集合部５１は、全体として捲回軸方向から見てＵ字状をなしており、トラックの短手方向に対向する正極側壁部５１ａ，５１ｂと、各正極側壁部５１ａ，５１ｂを連結するように形成された正極側湾曲部５１ｃとからなる。各正極側壁部５１ａ，５１ｂの内側面５１ａａ，５１ｂｂと正極側湾曲部５１ｃの内側面５１ｃｃとによって、正極側収容空間６１が区画形成されている。
【００２４】
なお、負極側集合部５２についても同様に、負極側壁部５２ａ，５２ｂ及び負極側湾曲部５２ｃからなり、これらの各内側面５２ａａ〜５２ｃｃによって負極側収容空間６２が区画形成されている。
【００２５】
なお、各集電タブ４１，４２の長手方向の長さ寸法Ｌ１（図２参照）は、トラック形状の電極体１４における湾曲部分の長さよりも大きく設定されている。これにより、各電極シート２１，２２を捲回及び加圧した場合、図３及び図４に示すように、各集電タブ４１，４２によって各壁部５１ａ，５１ｂ，５２ａ，５２ｂが形成されるようになっている。
【００２６】
また、図２に示すように、正極集電タブ４１のピッチＬ２よりも負極集電タブ４２の長手方向の長さ寸法Ｌ１が小さく設定されており、負極集電タブ４２のピッチＬ２よりも正極集電タブ４１の長手方向の長さ寸法Ｌ１が小さく設定されている。これにより、図３に示すように、正極側集合部５１及び負極側集合部５２が重ならないようになっている。
【００２７】
ここで、図１に示すように、各集電タブ４１，４２の電極体１４からの延出寸法（短手方向の長さ寸法）Ｌ３は、容器１２の深さ寸法Ｌ４から電極体１４における捲回軸方向の長さ寸法（各電極シート２１，２２の短手方向の長さ寸法）Ｌ５を差し引いた寸法よりも小さく設定されている。これにより、図１に示すように、各集合部５１，５２と各端子３１，３２の各ベース部３１ａ，３２ａとは離間している。
【００２８】
正極側収容空間６１には、正極側集合部５１と正極側ベース部３１ａとを接続するのに用いられる正極電極７１が収容されており、負極側収容空間６２には、負極側集合部５２と負極側ベース部３２ａとを接続するのに用いられる負極電極７２が収容されている。
【００２９】
先ず、正極電極７１、及び正極側集合部５１と正極側ベース部３１ａとの接続態様について説明する。
図４に示すように、正極電極７１は、捲回軸方向から見てＴ字状に形成された底部７１ａと、当該底部７１ａの各端部から起立した複数の起立部７１ｂ〜７１ｄとから構成されている。
【００３０】
各起立部７１ｂ〜７１ｄは、正極側集合部５１と面接触するように溶接されている。詳細には、第１起立部７１ｂは、正極側集合部５１の正極側湾曲部５１ｃの内側面５１ｃｃと面接触するように湾曲させて形成されている。そして、第２起立部７１ｃ及び第３起立部７１ｄは、各正極側壁部５１ａ，５１ｂの内側面５１ａａ，５１ｂｂと面接触するように所定の間隔Ｌ６を隔てて対向配置されている。そして、正極側集合部５１と正極電極７１とは、上記各面接触箇所が溶接されて、一体化されている。換言すれば、正極電極７１は、正極側集合部５１の各内側面５１ａａ〜５１ｃｃに対して面接触する複数の起立部７１ｂ〜７１ｄと、これら各起立部７１ｂ〜７１ｄの相対位置を規定する底部７１ａとを備えているとも言える。なお、正極電極７１において、第２起立部７１ｃ及び第３起立部７１ｄが対向部に対応する。
【００３１】
ちなみに、図５（ａ）に示すように、正極電極７１の各起立部７１ｂ〜７１ｄの上端は同一高さ位置に設定されており、各起立部７１ｂ〜７１ｄと、正極側ベース部３１ａとは所定の間隔を隔てて配置されている。このため、正極電極７１と、正極側ベース部３１ａとは、直接接続されていない。
【００３２】
ここで、図１に示すように、二次電池１０は、過電流遮断装置（ＣＩＤ）８１を備えている。過電流遮断装置８１は、蓋１３における内面（下面）であって、正極側収容空間６１と対向する部位、すなわち正極側ベース部３１ａの内面に取り付けられているとともに、正極電極７１の底部７１ａに取り付けられている。そして、正極電極７１と正極端子３１とは、過電流遮断装置８１を介して、電気的に接続されている。過電流遮断装置８１は、電極体１４等の異常に起因して異常な過電流が流れる場合にその電流を遮断する。
【００３３】
図５（ａ）に示すように、正極電極７１は過電流遮断装置８１を囲む（覆う）ように形成されている。詳細には、正極電極７１における第２起立部７１ｃと第３起立部７１ｄとの間隔Ｌ６は過電流遮断装置８１の幅寸法Ｌ７よりも大きく設定されている。また、正極電極７１の底部７１ａは、正極側ベース部３１ａと協働して過電流遮断装置８１を挟んでいる。つまり、過電流遮断装置８１は、正極側収容空間６１に収容されている正極電極７１によって区画形成された領域に収容されている。
【００３４】
次に、負極電極７２、及び負極側集合部５２と負極側ベース部３２ａとの接続態様について説明する。図３に示すように、負極電極７２は、正極電極７１と同様に、底部７２ａと起立部７２ｂ〜７２ｄとから構成されており、各起立部７２ｂ〜７２ｄは負極側集合部５２の各内側面５２ａａ〜５２ｃｃと溶接されている。
【００３５】
ここで、負極電極７２の第１起立部７２ｂは、第２起立部７２ｃ及び第３起立部７２ｄよりも起立（突出）して形成されている。このため、第２起立部７２ｃ及び第３起立部７２ｄの上端と負極側集合部５２の上端とが面一となるように溶接すると、第１起立部７２ｂが負極側集合部５２から蓋１３側に突出する。そして、図１に示すように、負極側ベース部３２ａ（負極側絶縁部３４）は、蓋１３において第１起立部７２ｂと対向する部位が負極側ベース部３２ａに含まれるように形成されている。これにより、第１起立部７２ｂの上端部と、負極側ベース部３２ａの内面とが接触する。そして、その接触箇所が溶接されることにより、負極電極７２を介して負極側集合部５２と負極端子３２とが電気的に接続されている。
【００３６】
図５（ｂ）に示すように、電池ケース１１の蓋１３には、電解質としての電解液を注入するための注入口８２が形成されている。注入口８２には、注入された電解液が電池ケース１１外に漏れることを規制する逆止弁８３が設けられている。逆止弁８３は、注入口８２における内側の周縁部に取り付けられており、電池ケース１１の内側に向けて突出している。
【００３７】
図１に示すように、注入口８２は、蓋１３において負極側収容空間６２と対向する部位に形成されており、具体的には負極側収容空間６２の上方に形成されている。図４に示すように、注入口８２は、各負極側壁部５２ａ，５２ｂ間の間隔Ｌ８よりも小さく形成されている。そして、上方から見て注入口８２と重ならないように負極電極７２が形成されている。
【００３８】
次に、本実施形態の二次電池１０の作用を説明する。
図１に示すように、電極体１４の上端部に各集合部５１，５２が配置されており、各集合部５１，５２は電極体１４の側方には突出していない。このため、電極体１４と電池ケース１１（容器１２）の側壁部との間に各集合部５１，５２を配置するためのスペースを確保することなく、電極体１４がその長手方向に大きく形成されている。
【００３９】
また、図３に示すように、各集合部５１，５２が電極体１４の捲回軸方向に見てＵ字状に形成されており、各集合部５１，５２の各内側面５１ａａ〜５１ｃｃ，５２ａａ〜５２ｃｃによって各収容空間６１，６２が形成されている。そして、図１に示すように、正極側収容空間６１には、正極電極７１が正極側集合部５１と溶接された状態で収容されているとともに、過電流遮断装置８１が正極電極７１及び正極端子３１に接合された状態で収容されている。また、負極側収容空間６２には、負極電極７２が負極側集合部５２と溶接された状態で収容されている。すなわち、電極体１４の上端部と蓋１３との間のスペースは、電極体１４と各端子３１，３２との電気的接続を行うためのスペースであり、当該スペースに、電気的接続を行うための構成、詳細には各集合部５１，５２、各電極７１，７２及び過電流遮断装置８１がまとめて配置されている。
【００４０】
ここで、正極電極７１は過電流遮断装置８１を囲むよう形成されているため、図５（ａ）に示すように、過電流遮断装置８１は、正極電極７１と干渉することなく正極側収容空間６１、詳細には正極電極７１によって囲まれた空間内に収容されている。
【００４１】
なお、過電流遮断装置８１の上端から正極側集合部５１の上端と同一高さ位置までの部位は、正極側収容空間６１内に収容されていない。このため、厳密に言えば、正極側収容空間６１内には、過電流遮断装置８１の一部が収容されているとも言える。
【００４２】
また、図１に示すように、逆止弁８３は、蓋１３における負極側収容空間６２と対向する部位に設けられているため、蓋１３が取り付けられた状態において、逆止弁８３（厳密に言えば、逆止弁８３の一部）は負極側収容空間６２内に入り込んでいる（収容されている）。この場合、上方から見て注入口８２と負極電極７２とが重なり合わないため、注入口８２を介して電解液を上方から注入する場合に、負極電極７２が邪魔になりにくい。
【００４３】
以上詳述した本実施形態によれば以下の優れた効果を奏する。
（１）正極集電タブ４１を集めて正極側集合部５１を形成し、その内側面５１ａａ〜５１ｃｃによって形成される正極側収容空間６１に、過電流遮断装置８１を収容した。これにより、電池ケース１１内には、正極側集合部５１を配置するためのスペース以外に、過電流遮断装置８１を配置するための専用スペースを別途確保する必要がない。よって、電池ケース１１内で、過電流遮断装置８１を配置するのに必要としていたスペースを、電極体１４を配置するためのスペースとして利用することができる。したがって、電池ケース１１内において電極体１４が占める割合を大きくすることができ、エネルギ密度の向上を図ることができる。
【００４４】
特に、正極側集合部５１を配置するためのスペースは充放電に寄与しないものである。そして、上記充放電に寄与しないスペースを利用して過電流遮断装置８１が配置されている。これにより、充放電に寄与しないスペースの有効活用を図ることができる。また、各電極シート２１，２２を捲回することによって、自ずと複数の正極集電タブ４１が集合するため、正極側集合部５１を容易に形成することができる。
【００４５】
ここで、各集合部５１，５２の間に過電流遮断装置８１を配置する構成も考えられる。しかしながら、二次電池１０の内部抵抗を小さくする観点に着目すれば、各集合部５１，５２が短絡しない範囲内で各集電タブ４１，４２の長手方向の長さ寸法Ｌ１を大きく設定するのが好ましい。この場合、各集合部５１，５２が近づき、過電流遮断装置８１を配置するためのスペース確保が困難となる。
【００４６】
これに対して、本実施形態によれば、正極側収容空間６１に過電流遮断装置８１を収容することにより、各集合部５１，５２が近づいている場合であっても、過電流遮断装置８１を好適に配置することができる。これにより、二次電池１０の内部抵抗の低減を図りつつ、エネルギ密度の向上を図ることができる。
【００４７】
（２）正極側収容空間６１に、過電流遮断装置８１を介して正極側集合部５１と正極端子３１とを電気的に接続する正極電極７１を収容した。そして、過電流遮断装置８１を囲むように正極電極７１を形成した。これにより、正極側収容空間６１内に、正極電極７１及び過電流遮断装置８１双方を互いに干渉することなく収容することができる。
【００４８】
（３）負極側収容空間６２に逆止弁８３を収容するとともに、負極側集合部５２と負極端子３２とを電気的に接続する負極電極７２を収容した。そして、負極電極７２と、逆止弁８３（注入口８２）とが上方から見て重ならないように負極電極７２を形成した。これにより、負極側収容空間６２内に、負極電極７２及び逆止弁８３双方を互いに干渉することなく収容することができるとともに、注入口８２を介して電解液を注入する場合に、負極電極７２が邪魔になることを回避することができる。
【００４９】
なお、上記実施形態に限られず、例えば以下のように変更してもよい。
○  実施形態では、電極体１４は捲回軸方向が容器１２の深さ方向と一致する所謂縦置き（横巻き配置）であったが、これに限られず、捲回軸方向が容器１２の深さ方向と直交する方向と一致する所謂横置き（縦巻き配置）であってもよい。この場合、各集合部５１，５２の位置に合わせて、容器１２における各集合部５１，５２と対向する壁部に各端子３１，３２を設けてもよい。
【００５０】
○  実施形態では、電極体１４の上端部に、正極側集合部５１及び負極側集合部５２が形成されている構成であったが、これに限られず、例えば電極体１４の捲回軸方向の一方に正極側集合部５１を形成し、他方に負極側集合部５２を形成してもよい。
【００５１】
○  実施形態では、電極体１４は、１の正極シート及び１の負極シートがセパレータを介して捲回された捲回型であったが、これに限られず、複数の正極シートと複数の負極シートとがセパレータを介して交互に積層されている積層型を採用してもよい。この場合、正極シートにおける一端部のうち一方側に正極集電タブを設け、負極シート２２における一端部のうち正極集電タブとは反対側の他方側に負極集電タブを設ける。そして、各集電タブを集めてなる集合部の内側面によって収容空間ができるように（例えば積層方向の両端側に集電タブが集まるように）各集電タブを加圧（圧接）する。
【００５２】
つまり、集合部は、実施形態のように１の電極シートに複数の集電タブが形成されている構成においてこれらを集めて形成されるものであってもよく、上記構成のように複数の電極シートにそれぞれ集電タブを設け、それらを集めて形成されるものであってもよい。
【００５３】
○  正極電極７１は、過電流遮断装置８１を介して、正極側集合部５１と正極端子３１とを電気的に接続することができればよく、その具体的な形状は任意である。例えば、底部７１ａを削除して、捲回軸方向から見てＵ字状又はコの字状に形成してもよい。この場合、第２起立部７１ｃ及び第３起立部７１ｄによって過電流遮断装置８１を挟むとよい。
【００５４】
○  各電極シート２１，２２の一方（例えば正極シート２１）に集電タブを設け、他方（例えば負極シート２２）には集電タブを設けない構成としてもよい。この場合、他方の電極シートを容器１２に電気的に接続してもよい。かかる構成であっても、一方の電極シートに設けられた集電タブを集めて集合部を形成し、その集合部の内側面にて区画形成される収容空間内に過電流遮断装置８１を配置すればよい。
【００５５】
○  正極側集合部５１と過電流遮断装置８１とを直接接続してもよい。この場合、正極電極７１を省略することができ、構成の簡素化を図ることができる。
○  正極側ベース部３１ａと正極側集合部５１との接触を抑制するために、正極集電タブ４１の電極体１４からの延出寸法Ｌ３を小さくしてもよい。この場合であっても、過電流遮断装置８１の一部が正極側収容空間６１に収容される。
【００５６】
○  また、電気的に絶縁した状態で正極側集合部５１の上端部と蓋１３の内面とを接合したり、過電流遮断装置８１と正極側ベース部３１ａとの間に両者を電気的に接続する接続体を別途設けたりすることにより、厳密に過電流遮断装置８１全体が正極側収容空間６１内に収容される構成としてもよい。要は、正極側収容空間６１内に、過電流遮断装置８１の少なくとも一部が収容されていればよい。
【００５７】
○  実施形態では、正極側収容空間６１内に過電流遮断装置８１が収容されていたが、これに限られず、負極側収容空間６２内に過電流遮断装置８１が収容される構成としてもよい。同様に、正極側収容空間６１内に逆止弁８３を収容する構成としてもよい。
【００５８】
次に、上記実施形態及び別例から把握できる技術思想について以下に記載する。
（イ）前記電池ケースには、
電解液を注入するための注入口と、
前記電池ケースの内側に向けて突出して形成され、前記注入口から前記電池ケース内への前記電解液の注入を許容する一方、前記注入口から前記電池ケース外への前記電解液の流出を規制する弁と、
が設けられており、
前記集合部として、前記正極シートの一端部に形成された正極集電タブを複数集めてなる正極側集合部と、前記負極シートの一端部に形成された負極集電タブを複数集めてなる負極側集合部と、を備え、
前記収容空間として、前記正極側集合部の内側面により区画形成された正極側収容空間と前記負極側集合部の内側面により区画形成された負極側収容空間とが形成されており、
前記各収容空間のうち一方には前記過電流遮断装置の少なくとも一部が収容されており、他方には前記弁の少なくとも一部が収容されていることを特徴とする請求項１〜３のうちいずれか一項に記載の二次電池。
【００５９】
（ロ）前記電池ケースには正極端子及び負極端子が設けられており、
前記各収容空間のうち前記弁の少なくとも一部が収容されている収容空間には、同一極性の集合部と端子とを接続する電極が収容されており、
前記電極は、前記注入口の下方を避けて形成されていることを特徴とする技術思想（イ）に記載の二次電池。
【符号の説明】
【００６０】
１０…二次電池、１１…電池ケース、１４…電極体、２１…正極シート、２２…負極シート、４１…正極集電タブ、４２…負極集電タブ、５１…正極側集合部、５１ａａ〜５１ｃｃ…正極側集合部の内側面、５２…負極側集合部、５２ａａ〜５２ｃｃ…負極側集合部の内側面、６１…正極側収容空間、６２…負極側収容空間、７１…正極電極、７２…負極電極、８１…過電流遮断装置。
【図１】
0005834887.tif 000002
【図２】
0005834887.tif 000003
【図３】
0005834887.tif 000004
【図４】
0005834887.tif 000005
【図５】
0005834887.tif 000006